(57)【特許請求の範囲】
【請求項１】
被検者眼に検査用の視標を切換えて呈示可能な視標呈示部を持つ装置本体と、視標の切換えを行うための信号をワイヤレスにて送信する送信部を有するリモートコントローラと、を有し、前記リモートコントローラからの前記信号を前記装置本体において受信し、受信した前記信号に基づいて前記視標呈示部に視標を呈示させる視標呈示装置において、
前記装置本体は、前記リモートコントローラから送信される前記信号と同じ波長特性の信号を受信可能な第２受信部と、前記第２受信部の受信状態を表示する装置本体用受信状態表示部と、を有する装置本体用受信状態確認ユニットと、
前記装置本体用受信状態表示部において、前記装置本体の各種パラメータを設定するための設定部と、前記第２受信部の受信状態を示す表示部と、を同一画面上に表示させる制御ユニットと、
を備えることを特徴とする視標呈示装置。
【発明の詳細な説明】
【技術分野】
【０００１】
本発明は、被検者眼に検査用の視標を呈示する視標呈示装置に関する。
【背景技術】
【０００２】
被検者眼にランドルト環視標等の視力検査用視標を呈示する視標呈示装置が知られている（例えば、特許文献１参照）。このような装置では、近年、液晶ディスプレイ等が視標呈示部として利用されており、ディスプレイに視標を表示することによって被検者眼に様々な視標が呈示される。装置が有するメモリに多数の視標データが記憶されており、リモートコントローラ（以下、リモコン）のスイッチ操作（リモコンからの信号）によって１又は複数の視標データがメモリから読み出され、読み出されたデータの視標がディスプレイに表示される。
【０００３】
被検者眼にランドルト環視標等の視力検査用視標を呈示する視標呈示装置が知られている（例えば、特許文献１、２参照）。このような装置は、呈示される視標を切換える等の操作を行うためのリモートコントローラ（以下、リモコン）を備えている。例えば、特許文献１の装置では、液晶ディスプレイ等が視標呈示部として利用されており、ディスプレイに視標が表示されることによって被検者眼に様々な視標が呈示されている。装置が有するメモリに多数の視標データが記憶されており、リモコンのスイッチ操作（リモコンからの信号）によって１又は複数の視標データがメモリから読み出され、読み出されたデータの視標がディスプレイに表示される。
【０００４】
また、特許文献２の装置では、回転可能なディスク上に多数の視標が配置（形成）され、ディスク上の視標が背後から照明されることによって被検者眼に様々な視標が呈示されている。このような装置では、リモコンのスイッチ操作（リモコンからの信号）によってディスクが回転され、呈示される視標が切換えられる。
【先行技術文献】
【特許文献】
【０００５】
【特許文献１】特開２００７−２９６１００号公報
【特許文献２】特開２０１０−８２２５３号公報
【発明の概要】
【発明が解決しようとする課題】
【０００６】
このような装置では、ワイヤレスのリモコン操作に関する動作エラーに関して、リモコン自体の問題（リモコンの故障、リモコンのバッテリの消耗等）や視標呈示装置本体自体が本当に故障している以外に、視標呈示装置本体の受信部が対応するリモコン以外の信号（室内照明灯からのノイズ光、外乱光等を含む）を受信してしまうことによる装置の動作エラーがある。また、視標呈示装置本体は眼鏡店、眼科医院、等で複数台が並べて配置されることがあるため、リモコンからの信号の混信（混線）が発生し易い。このようにワイヤレスのリモコン操作に関するエラー等の問題では、原因となる要素が多く、特定が容易ではない。
【０００７】
本発明は、リモコン操作に関するエラー等の問題の原因を簡単に把握（特定）できる視標呈示装置を提供することを技術課題とする。
【課題を解決するための手段】
【０００８】
上記課題を解決するために、本発明は、以下のような構成を備えることを特徴とする。    （１）  被検者眼に検査用の視標を切換えて呈示可能な視標呈示部を持つ装置本体と、視標の切換えを行うための信号をワイヤレスにて送信する送信部を有するリモートコントローラと、を有し、前記リモートコントローラからの前記信号を前記装置本体において受信し、受信した前記信号に基づいて前記視標呈示部に視標を呈示させる視標呈示装置において、前記装置本体は、前記リモートコントローラから送信される前記信号と同じ波長特性の信号を受信可能な第２受信部と、前記第２受信部の受信状態を表示する装置本体用受信状態表示部と、を有する装置本体用受信状態確認ユニットを備え、前記装置本体用受信状態表示部において、前記装置本体の各種パラメータを設定するための設定部と、前記第２受信部の受信状態を示す表示部と、を同一画面上に表示させる制御ユニットと、を備えることを特徴とする。
【発明の効果】
【０００９】
本発明によれば、リモコン操作に関するエラー等の問題の原因を簡単に把握（特定）できる。
【発明を実施するための形態】
【００１０】
以下、本発明の実施の形態を図面に基づいて説明する。図１は、視標呈示装置の構成を示す概略外観図である。視標呈示装置１００は、視標を呈示するための装置本体１に対して視標の切換え信号を送信するためのリモコン２０を含む構成となっている。視標呈示装置１の筐体２の前面には、視標呈示部３が配置されている。視標呈示部３は、被検者との距離（検査距離）が遠方距離（例えば、５ｍ）である場合に、視力値０．１等の大きなサイズの視力検査用視標３Ａを表示可能な大きさの画面を備えている。また、視標呈示部３の画面は、検査距離が近方距離（例えば、３ｍ）である場合に、視力値２．０等の小さなサイズの視力検査用視標３Ａを表示可能な解像度を持っている。視標呈示部３に呈示される視標は、視標選択ユニットであるワイヤレスタイプのリモートコントローラ（以下、リモコン）２０からの信号に基づいて切換えられる。
【００１１】
装置本体１の筐体２の前面の下方には、リモコン２０からの視標の切換え信号である赤外光（信号）を受信し、リモコン２０に赤外光（信号）を送信する送受信部（第２送信部・第１受信部と第２受信部を兼ねる受信部）５が配置されている。また、筐体２の前面の下方には、装置本体１の作動状態を示すパイロットランプ６が配置されている。パイロットランプ６は、装置１の電源が入れられると点灯し、装置１の電源が落とされると消灯する。また、パイロットランプ６は、装置１の電源が入れられた状態であっても、被検者眼への刺激とならないように、検査中（視標呈示中）は消灯する。
【００１２】
また、筐体２の下方には、検査距離等の各種パラメータを設定する際の操作部であるファンクションスイッチ７が配置されている。ファンクションスイッチ７を操作することにより、視標呈示部３に装置のパラメータ（画面の輝度、画面のカラーバランス、等）を設定するセットアップ画面（後述する）が表示される。また、ファンクションスイッチ７は、リモコン２０からの信号の送受信部５での受信状態と、リモコン２０への信号の送信（返信）状態と、を表示する送受信状態表示モード（後述する）を選択する装置本体１側のモードスイッチ（モード設定手段）を兼ねている。このときに送信される信号は返信信号となる。ファンクションスイッチ７により、装置本体１の動作モードが送受信状態表示モードに設定する機能を有する。
【００１３】
図２は、視標呈示部３の構成と装置の制御系とを示す概略ブロック図である。視標呈示部３であるカラーの液晶ディスプレイ３０と送受信部５とは、装置１全体の統括・制御を行う制御ユニット（視標呈示制御部）１０に接続されている。
また、パイロットランプ６及びファンクションスイッチ７も演算制御ユニット１０に接続されている。制御ユニット１０は、リモコン２０からの信号（送受信部５からの信号）を解読するデコーダ回路、リモコン２０への信号を生成するエンコーダ回路、等を備えている。制御ユニット１０は、リモコン２０からの視標の切換え（選択）のための信号が送受信部５を介して入力されると、ディスプレイ３０の各画素３１の表示を制御する。視標の切換えが完了すると、制御ユニット１０は、リモコン２０との双方向通信のために、視標の切換えが完了したことを示す返信信号を生成し、送受信部５を介してリモコン２０に返信信号を送信（返信）する。返信信号
なお、リモコン２０を統括・制御する制御ユニット２８は、送受信部５からの信号が受信されるまで、リモコン２０の各種スイッチによる次の操作を無視する。従って、視標呈示装置１とリモコン２０とは、双方向通信によって操作が行われる構成となっている（後述する）。
【００１４】
また、制御ユニット１０には、メモリ１２が接続されている。メモリ１２には、ランドルト環視標、ひらがな視標、Ｅ視標、等の様々な視力検査用視標の画像データが、視力値０．０４から視力値２．０まで所定のステップ毎に記憶されている。制御ユニット１０は、リモコン２０からの視標切換え信号（視標選択信号）が送受信部５を介して入力されると、表示プログラムに従って視標をディスプレイ３０に表示させる。
【００１５】
本実施形態の送受信部５は、赤外光（信号）を受光（受信）する受光素子（受信素子）５１と、赤外光（信号）を発光（送信）する発光素子（送信素子）５２と、赤外光を透過する窓（送受信窓）を兼ねるフィルタ５３と、を備えている。受光素子５１及び発光素子５２は、制御ユニット１０に接続されている。受光素子５１には、広い波長域に亘って光信号の受光（受信）が可能なフォトダイオード等が用いられている。一方、発光素子５２には、赤外光を出射（送信）可能なＬＥＤ（発光ダイオード）等が用いられている。フィルタ５３は、受光素子５１及び発光素子５２から一定の距離をおいて筐体２の表面に配置されている。フィルタ５３は、受光素子５１に入射する光の波長を制限するバンドパスフィルタの役割を持っている。フィルタ５３は、リモコン２０からの切換え信号を通過させ、他の波長の光の透過を抑制する特性を備えている。例えば、切換え信号の波長に対して±数十ｎｍ程度の波長の光は透過し、それ以外の波長は遮断する特性である。また、フィルタ５３は、発光素子５２から発せられた光信号を透過する。
【００１６】
なお、受光素子５１とフィルタ５３との距離は、受光素子５１の受光範囲（受信範囲）を制限するように定められている。すなわち、送受信部５は、受光素子５１への光信号の入射角度が所定角度以内に制限されている。同様に、発光素子５２とフィルタ５３との距離も、発光素子５２の発光範囲（送信範囲）を制限するように定められている。すなわち、送受信部５は、発光素子５２からの光信号の出射角度が所定角度以内に制限されている。所定角度としては、例えば、水平方向で±３０度以内とされる。
【００１７】
上記装置本体１において、送受信部５とディスプレイ３０（視標呈示部３）及び制御ユニット１０により、リモコン２０からの信号の受信状態を確認する受信状態確認ユニットが構成される。なお、本実施形態では、装置本体１は、さらに、装置本体１から光信号を送信する状態を確認する機能を合わせ持つ。装置本体１は、送受信状態を確認するための送受信状態確認ユニットを備えることとなる。
【００１８】
図３は、リモコン２０の構成を示す外観図である。リモコン２０の前面には、光信号を送信すると共に受信する送受信部（送信部・第３受信部を兼ねる受信部）２１が配置されている。リモコン２０の上面には、情報表示部であるモノクロの液晶ディスプレイ２２と、スイッチ部２３と、が配置されている。スイッチ部２３には、ランドルト環視標、ひらがな視標、Ｅ視標、等の視力検査用視標の種類を選択するためのスイッチ２４、視力検査用視標の視力値を０．０４から２．０までの間で切換える（選択する）ための多数のスイッチが配置されたスイッチパネル２５、一文字視標（画面に１つの視標が呈示される）を表示するか複数文字視標（画面に複数の視標が呈示される）を表示するかを選択するためのスイッチ２６、ランドルト環視標等の一文字視標の方向を右向きに切換えるためのスイッチ２７ａ、一文字視標の方向を左向きに切換るためのスイッチ２７ｂ、一文字視標の方向を上向きに切換えるためのスイッチ２７ｃ、一文字視標の方向を下向きに切換えるためのスイッチ２７ｄ、等の各種スイッチが配置されている。また、リモコン２０の上面の下部には、リモコン２０に電源が入れられていることを報知するパイロットランプ２０ａが配置されている。なお、リモコン２０への電源の投入の有無は、ディスプレイ２２の表示の有無によって報知する構成とされていてもよい。
【００１９】
リモコン２０の制御ユニット２８は、装置本体１（送受信部５）への信号を生成するエンコーダ回路、装置１（送受信部５）からの信号（送受信部２１からの信号）を解読するデコーダ回路、等を備えている。また、制御ユニット２８には、メモリ２９が接続されている。メモリ２９には、リモコン２０の各種パラメータ、リモコン２０を動作させるためのプログラム、送受信状態表示モード（後述する）用のプログラム、等が記憶されている。
【００２０】
送受信部２１は、赤外光（信号）を発光（送信）する発光素子（送信素子）２１ａと、赤外光（信号）を受光（受信）する受光素子（受信素子）２１ｂと、窓（送受信窓）を兼ねる保護カバー２１ｃと、を備えている。発光素子２１ａには、赤外光を出射可能なＬＥＤ（発光ダイオード）等が用いられている。一方、受光素子２１ｂには、広い波長域に亘って光信号の受光が可能なフォトダイオード２１等が用いられている。なお、受光素子２１ｂは、受光素子５１が受光する光信号と、信号特性が一致している光（光信号）を受光できる素子とする。ここでは、受光素子５１が受光する光信号の波長特性が同じ光を受光できる構成とする。また、送受信部２１は、発光素子２１ａからの光信号の出射角度が所定角度以内に制限されている。同様に、送受信部２１は、受光素子２１ｂへの光信号の入射角度が所定角度以内に制限されている。
【００２１】
なお、装置本体１とリモコン２０とが双方向通信を行い易いように（互いに信号を送受信しやすいように）、発光素子２１ａと発光素子５２とが共通の素子（同部品）とされていることが好ましい。同様に、受光素子２１ｂと受光素子５１とが共通の素子とされていることが好ましい。また、保護カバー２１ｃとフィルタ５３とは、装置本体１とリモコン２０とで用いられる光信号の波長を透過する光学特性（フィルタ特性）を備えていればよい。なお、保護カバー２１ｃと受光素子２１ｂとの組合せによって送受信部２１の受光特性が送受信部５の受光特性と略一致する構成とされていてもよい。
【００２２】
リモコン２０は、制御ユニット２８に統合・制御され、送受信部２１（発光素子２１ａ、受光素子２１ｂ）とディスプレイ２２とスイッチ部２３とメモリ２９とは、制御ユニット２８に接続されている。制御ユニット２８は、各種スイッチが押されると、スイッチに対応したコードを生成し、送受信部２１（発光素子２１ａ）からコード化された光信号を発光（送信）させる。このとき、制御ユニット２８は、各種スイッチによる次の操作を受け付けない（スイッチによる入力を無視する）。制御ユニット２８は、装置１（送受信部５）からの返信信号を送受信部２１（受光素子２１ｂ）を介して受信すると、各種スイッチによる次の操作を受け付ける（許可する）。
【００２３】
上記リモコン２０において、送受信部２１とディスプレイ２２及び制御ユニット２８により、リモコン２０からの信号と同じ波長特性の信号の受信状態を確認する受信状態確認ユニットが構成される。なお、本実施形態では、リモコン２０は、さらに、リモコン２０から光信号を送信する状態を確認する機能を合わせ持つ。リモコン２０は、送受信状態を確認するための送受信状態確認ユニットを備えることとなる。
【００２４】
本実施形態のリモコン２０は、各種スイッチの操作により、リモコン２０を送受信状態表示モードに設定する機能を備えている。具体的には、スイッチ２７ａ及び２７ｂが同時に長押しされる（例えば、３秒間押される）と、制御ユニット２８は、スイッチ２７ａ及び２７ｂの入力信号に基づき、ティスプレイ２２に受信状態表示部と送信状態表示部とを兼ねる送受信状態表示部２２ａを表示させる。従って、スイッチ２７ａ及び２７ｂは、リモコン２０の動作モードを送受信部２１の送受信状態を確認する送受信状態表示モードに設定するモードスイッチ（モード選択手段）となる。表示部２２ａには、受信状態を表示するマークＭ１と、送信状態を表示するマークＭ２と、が表示される。マークＭ１は、中抜きの円形状であり、マークＭ２は、マークＭ１内に収まる大きさの円形状である。これにより、表示部２２ａ内に受信状態を表示するマークと送信状態を表示するマークとの２種類のマークを同時に表示でき、リモコン２０の受信状態及び送信状態が把握し易い。
【００２５】
次に、視標呈示装置１で表示されるセットアップ画面について説明する。所定のファンクションスイッチ７が押されると（所定の設定信号が入力されると）、制御ユニット１０は、図４に示すセットアップ画面４０をディスプレイ３０（視標呈示部３）に表示させる。セットアップ画面４０は、装置本体１の各種パラメータの設定・表示をするための設定部４１と、装置１の送受信状態を表示する表示部６０と、を備えている。設定部４１は、各種設定欄が項目毎に並べられて構成されている。設定部４１としては、例えば、視標の種類を設定するための視標設定欄４２、検査距離を設定するための検査距離設定欄４３、ディスプレイ３０の色味（配色）を設定する色味設定欄４４、等が設けられている。各項目の選択と数値の変更とは、ファンクションスイッチ７の操作によって行われる。
【００２６】
視標設定欄４２では、国、地域、等によって異なって使用される視標（特に視力検査用視標）の種類を選択される。検査距離設定欄４２では、検査距離を選択される。本実施形態では、３．０ｍから〜６０ｍまで０．５ｍステップ毎に選択可能とする。色味設定欄４５では、ディスプレイ３０の赤色、緑色及び青色の輝度値がそれぞれ数百階調で調整されてディスプレイ３０の色味が調整される。
【００２７】
表示部６０では、送受信部５で何らかの信号を受信した場合に、受信状態を示すマークＭ３が表示される。また、制御ユニット１０が送受信部５を介して信号を送信すると、送信状態を示すマークＭ４が表示される。本実施形態では、確認し易いように、マークＭ３はマークＭ１と同一形状としており、マークＭ４はマークＭ２と同一形状としている。制御ユニット１０が、受光素子５１（送受信部５）からの信号を受信（検知）して、表示部６０にマークＭ３を表示させ、発光素子５２（送受信部５）への信号に基づいて表示部６０にマークＭ４を表示させる。なお、後述するリモコン２０の場合と同様に、制御ユニット１０は、経時的に送受信状態を更新して表示部６０に表示させることが好ましい。例えば、送受信状態がリアルタイムに操作者（検者）に認識される程度の時間間隔で表示部６０の表示が逐次更新される。
【００２８】
セットアップ画面４０で設定された各項目の情報は、ファンクションスイッチ７を操作することにより、メモリ１２に記憶される。設定後、制御ユニット１０は、メモリ１２に記憶された設定情報に基づいてディスプレイ３０の表示を制御する。
【００２９】
このように、セットアップ画面４０において、装置１の各種パラメータの設定・表示と信号の送受信状態の表示とがなされる。
【００３０】
次に、本実施形態の送受信状態表示モードについて説明する。先ず、リモコン２０を用いた送受信状態の確認について説明し、次に、視標呈示装置１とリモコン２０との送受信状態の確認について説明する。
【００３１】
リモコン２０の受信状態とは、送受信部２１が信号を受信している状態をいい、受光素子２１ｂが動作している状態（何らかの信号を受信している状態）をいう。一方、リモコン２０の送信状態とは、送受信部２１（発光素子２１ａ）が信号を送信している状態をいう。同様に、装置本体１の受信状態とは、送受信部５が信号を受信している状態をいい、受光素子５１が動作している状態（何らかの信号を受信している状態）をいう。また、装置１の送信状態とは、送受信部５（発光素子５２）が信号を送信している状態をいう。
【００３２】
スイッチ２７ａ及び２７ｂが長押されて送受信状態表示モードが設定されると（所定の設定信号が入力されると）、制御ユニット２８は、ディスプレイ２２に送受信状態表示部２２ａを表示させる。制御ユニット２８は、送受信部２１（受光素子２１ｂ）の受信状態に基づいてマークＭ１を表示部２２ａに表示させる。なお、制御ユニット２８は、受信状態を経時的に更新して表示部２２ａに表示させることが好ましい。例えば、受信状態がリアルタイムに操作者（検者）に認識される程度の時間間隔で表示部２２ａの表示が逐次更新される。
【００３３】
送受信状態表示モードが設定されると、制御ユニット２８は、スイッチ２６をテスト信号（発光素子２１ａを駆動させるための駆動信号）の生成用スイッチ（テストスイッチ）として認識する。スイッチ２６が押されると、制御ユニット２８は、テスト信号を生成し、送受信部２１（発光素子２１ａ）から送信し、表示部２２ａにマークＭ２を表示させる。このとき、制御ユニット２８は、発光素子２１ａの駆動回路の電流値（又は電圧値）をモニタし、テスト信号に対応して発光素子２１ａから光信号が発せられたかを検出（確認）する。制御ユニット２８は、この検出結果に基づいて、マークＭ２の表示を行う。マークＭ２は、スイッチ２６が押された（スイッチ２６から手が離れた）後、操作者が確認し易いように一定時間（例えば、３秒）表示される。なお、マークＭ２は、発光素子２１ａで発せられた光信号を受光素子２１ｂで受光し、その結果を表示させる構成としてもよい。
【００３４】
表示部２２ａでは、送受信部２１で何らかの信号を受信した場合に、マークＭ１が表示される。本実施形態では、制御ユニット２８が、受光素子５２からの信号を受信（検知）して、表示部２２ａにマークＭ１を表示させる。これにより、操作者が、リモコン２０の受信状態を把握できる。
【００３５】
なお、受信状態の表示は、信号の非受信時にはマークを表示して信号の受信時にはマークを表示しないようにしてもよい（送信状態の表示も同様でもよい）。また、受信状態の表示（マーク）としては、文字、数値、記号、等であってもよい（送信状態の表示も同様でもよい）。また、受信された信号の強度に応じて表示を変えてもよい。また、信号の受信状態の時間変化が判るようにグラフ化して表示してもよい。
【００３６】
同様に、セットアップ画面４０の送受信状態表示部６０では、制御ユニット１０が、送受信部５の受信状態に基づいて（信号を受信した場合に）マークＭ３を表示させ、送受信部５の送信状態に基づいて（信号を送信した場合に）マークＭ４を表示させる。これにより、操作者が、受信状態及び送信状態を把握できる。
【００３７】
なお、発光素子５２による光信号の送信を、発光素子５２から発せされた光を受光素子５１にて受光し、その結果を表示部６０に表示させる構成としてもよい。
【００３８】
以上のような構成を備える装置の動作を、リモコン２０の操作を中心に説明する。操作者は、リモコン２０のスイッチ部２３を操作し、ディスプレイ３０に所期する視標を表示させ、被検者眼の視力検査を行う。例えば、スイッチ２４の操作によって視標の種類を選択し、スイッチ２５の操作によって視標の視力値を変更しながら視力検査を進める。
【００３９】
ここで、リモコン操作に関するエラー等の問題とその原因の特定とについて説明する。リモコン２０による装置１の操作ができない場合、操作者は、以下の手順でエラー等の問題の原因を特定する。また、操作者は、問題によってはこれを解決する。
【００４０】
先ず、リモコン２０に問題がなく装置１を１台設置する場合について説明する。操作者は、スイッチ２７ａ及び２７ｂを操作してディスプレイ２２に表示部２２ａを表示させる。そして、リモコン２０を持って、装置１の設置位置付近まで移動し、表示部２２ａを確認する。表示部２２ａにマークＭ１が表示されていれば、操作者は、送受信部５が外乱光を受光（受信）していることが判る。この場合、操作者は、送受信部５が外乱光を受光するのを防ぐため、室内照明灯、窓（日光）、等から装置１を遠ざけたり、装置１の向きを変えたりするなどの作業を行う。このような作業により、表示部２２ａのマークＭ１が消えれば、リモコン２０による装置１の操作が可能となる。すなわち、問題の原因は外乱光と特定できたこととなる。また、上記のような作業によって問題が解決しなければ、装置１（送受信部５等）に問題があることが特定できる。
【００４１】
このような作業は、装置１の設置前にリモコン２０を用いて単独で行うことができ、装置１の設置に適した場所を簡単に探すことができる。また、リモコン２０は自由に位置、高さ、等を変えられるため、例えば、蛍光灯にリモコン２０を近づける等の作業をすることにより、問題の原因が外乱光であることが特定し易くなる。
【００４２】
なお、以上の説明は、リモコン２０を用いて、装置本体１が設置された場所での光信号の受信状態を確認する説明としてが、これに限るものではない。装置本体１の設置場所での受信状態が確認できる構成であればよい。
【００４３】
リモコン２０を用いずに装置本体１の送受信部５（装置本体１に設けられた受信確認ユニット）を利用する場合を説明する。操作者は、ファンクションスイッチ７を操作してセットアップ画面４０をディスプレイ３０に表示させる。そして、表示部６０を確認する。リモコン２０を操作していない状態で表示部６０にマークＭ３が表示されていれば、操作者は、送受信部５が外乱光を受光（受信）しているか、又は装置本体１（送受信部５等）が故障しているかが判る。この場合、操作者は、送受信部５が外乱光を受光するのを防ぐため、室内照明灯、窓（日光）、等から装置本体１を遠ざけたり、装置本体１の向きを変えたり、設置場所を変更するなどの作業を行う。このような作業により、表示部６０のマークＭ３が消えれば、リモコン２０による装置本体１の操作が可能となる。すなわち、問題の原因は外乱光と特定できたこととなり、外乱光によるリモコン操作のエラーを解消することができる。また、上記のような作業によって問題が解決しなければ、装置本体１（送受信部５等）に問題があることが特定できる。さらにまた、リモコン２０を操作しても表示部６０にマークＭ３が表示されなければ、やはり装置本体１（送受信部５等）に問題があること（その可能性が高いこと）が特定できる。
【００４４】
次に、リモコン２０に問題がなく装置本体１を複数台並べて設置する場合で、リモコン２０に設けられた受信状態確認ユニットを利用する場合について説明する。この場合、複数のリモコンを同時に操作することによる信号の混信（混線）が起こり得る。例えば、装置本体１を２台並べて設置し、１台目の装置本体１である第１装置本体１に対応したリモコン２０を第１リモコン２０とし、２台目の装置本体１である第２装置本体１に対応したリモコン２０を第２リモコン２０とする。リモコン２０は装置本体１に対応して設定されており、送信される信号には装置固有のコードが付与されているため、第１装置本体１が第２リモコン２０の信号を受信しても制御ユニット１０がその信号（指令）を無視する（第２装置本体１が第１リモコン２０の信号を受信しても同様）。しかし、第１又は第２装置本体１が第１及び第２リモコン２０からの信号を同時に受信すると、制御ユニット１０は、受信された信号（指令）に基づく動作を実行できない。このように、複数台の装置１及びリモコン２０を同時に使用すると、信号の混信（混線）が起こり得る。
【００４５】
操作者は、前述の場合（装置本体１が１台の場合）と同様の操作を行い、第１リモコン２０を持って第１装置本体１の設置位置付近まで移動し、表示部２２ａを確認する。第１リモコン２０の表示部２２ａにマークＭ１が表示されていれば、前述の作業（外乱光の除去等）を行う。
【００４６】
次に、第２リモコン２０を第２装置本体１に対する操作位置で操作して、第１リモコン２０での受信状態を確認する。このとき、第１リモコン２０の表示部２２ａにマークＭ１が表示されれば、第１装置本体１は第２リモコン２０からの信号を受信したこととなる（この場合、第２装置本体１が第１リモコン２０からの信号を受信する可能性も高い）。すなわち、２台のリモコン２０からの信号の混信（混線）が問題の原因と特定される。この場合、操作者は、第１リモコン２０の表示部２２ａを確認しながら第１リモコン２０を移動させ、混信（混線）のない位置を探し、その位置に第１装置本体１を設置する。また、これに伴って、第２装置本体１の設置位置も変更する。これにより、問題が解決される。このように、持ち運び易いリモコン２０を用いることにより、混信（混線）のない位置が容易に確認でき、装置１の設置作業が効率的に行える。なお、受信状態の確認作業の順序は、何れの装置１が先でもよい。
【００４７】
リモコン２０に問題がなく装置本体１を複数台並べて設置する場合で、装置本体１に設けられた送受信部５（受信状態確認ユニット）を利用する場合について説明する。
【００４８】
操作者は、前述の場合（装置本体１が１台の場合）と同様の操作を行い、表示部６０を確認する。第１リモコン２０を操作していない状態で第１装置本体１の表示部６０にマークＭ３が表示されていれば、前述の作業（外乱光の除去等）を行う。一方、第１装置本体１の表示部６０にマークＭ３が表示されていなければ、第１リモコン２０を第１装置本体１に対する操作位置で操作して受信状態を確認する。そして、受信状態が確認できれば、次に、第２リモコン２０を第２装置本体１に対する操作位置で操作して受信状態を確認する。この時、第１装置本体１の表示部６０にマークが表示されれば、第１装置本体１は第２リモコン２０からの信号を受信したこととなる（この場合、第２装置本体１が第１リモコン２０からの信号を受信する可能性も高い）。すなわち、２台のリモコン２０からの信号の混信が問題の原因と特定される。この場合、操作者は、第１装置本体１の表示部６０を確認しながら、第２リモコン２０からの信号が第１装置本体１の受信部５に受信されない位置まで第２リモコン２０の操作位置を変更する。また、これに伴って、第２装置本体１の設置位置も変更する。これによって、問題が解決される。なお、受信状態の確認作業の順序は、何れの装置１が先でもよい。
【００４９】
次に、リモコン２０に問題がある場合について説明する。操作者は、リモコン２０を操作し、表示部２２ａを確認する。この場合、表示部２２ａにはマークＭ２（送信状態を表示するマーク）は表示されない。この場合、発光素子２１ａが故障している可能性がある。なお、リモコン２０のバッテリが消耗している場合は、表示部２２ａ（ディスプレイ２２）が表示されない。このようにして、リモコン２０の故障が問題の原因と特定される。
【００５０】
また、リモコン２０に問題がある場合で、装置本体１の送受信部５（装置本体１に設けられた受信確認ユニット）を利用する場合を説明する。操作者は、リモコン２０を操作し、表示部６０を確認する。この場合、表示部６０にはマークＭ３は表示されない。操作者は、リモコン２０のバッテリを交換した上で再度リモコン２０を操作し、表示部６０を確認する。表示部６０にマークが表示されていれば、バッテリの消耗が問題の原因と特定される。一方、マークＭ３が表示されていなければ、リモコン２０の故障が問題の原因と特定される。
【００５１】
次に、装置本体１とリモコン２０との双方向通信を確認する動作を説明する。操作者は、同様の動作でリモコン２０のディスプレイ２２に表示部２２ａを表示させる。また、ファンクションスイッチ７を操作して、装置１のディスプレイ３０にセットアップ画面４０（表示部６０）を表示させる。操作者は、リモコン２０を持って、装置１の操作時の設置距離まで移動する（装置本体１とリモコン２０との距離を設置距離とする）。そして、スイッチ２６を操作し、表示部２２ａを確認し、表示部６０を確認する。
【００５２】
表示部２２ａにマークＭ２が表示され、表示部６０にマークＭ３が表示されれば、リモコン２０から装置１に信号が送信されていることとなる。そして、表示部６０にマークＭ４が表示されているにもかかわらず、表示部２２ａにマークＭ１が表示されていなければ、装置１からリモコン２０への返信（信号の送信）がない、又は、届いていない、こととなる。この場合、操作者は、リモコン２０の操作位置を装置１寄りにして、問題に対処する。
【００５３】
表示部６０にマークＭ３が表示されているにもかかわらず、マークＭ４が表示されていない場合は、送受信部５の発光素子５２（又は駆動回路）が故障していることが判り、問題の特定ができる。
【００５４】
このようにして、装置１とリモコン２０との双方向通信における問題を簡単に特定できる。
【００５５】
以上のようにして、リモコン２０を用いて送受信状態を簡単に確認でき、リモコン操作に関する問題の原因を簡単に把握（特定）できる。また、装置本体１とリモコン２０との双方向通信（送受信状態）を簡単に把握できる。また、問題の原因を把握（特定）することにより、問題によっては簡単に解決できる。具体的には、リモコン２０側の問題（故障、バッテリの消耗、等）なのか、装置本体１側の問題（故障、外乱光又は外乱信号の受光又は受信、等）なのか、リモコン２０と装置本体１との設置距離等の関係が問題なのか、が簡単に把握（特定）できる。また、外乱光又は外乱信号の受光又は受信が問題である場合、表示部２２ａを確認しながら外乱光又は外乱信号の原因となるものを除去することにより、問題を簡単に解決できる。
【００５６】
また、送受信状態をディスプレイ２２に表示することにより、新たに送受信状態の表示部を設ける必要がなく、コスト等を抑えることができる。また、送受信状態を検知（測定）する専用のセンサ（露光装置等）を用意する必要がない。
【００５７】
また、上記の実施形態では、信号の送受信状態の表示部２２ａをディスプレイ２２に表示したが、これに限るものではない。例えば、リモコン２０の作動状態を示すパイロットランプ２０ａの点灯／消灯状態によって送受信部２１の送受信状態を示してもよい。この場合、受信状態を赤色、送信状態を青色、等として識別できるようにすることが好ましい。
【００５８】
また、上記の実施形態では、制御ユニット２８が表示部２２ａの表示を制御したが、これに限るものではない。例えば、送受信部２１からの信号又は送受信部２１への信号を直接表示部２２ａに表示させる構成としてもよい。
【００５９】
また、上記の実施形態では、装置１とリモコン２０との間の無線通信に赤外線（光信号）を用いたが、これに限るものではない。ワイヤレスで通信できる構成であればよい。例えば、電波（電磁波）を用いてもよい。この場合、リモコン及び装置本体に設けられる送受信部は、リモコンからの切換え信号である電波の波長特性（周波数）を受信可能な構成とする。なお、リモコン及び装置本田に設けられる送信素子は、電波を発する素子（アンテナ等）とする。
【００６０】
また、上記の実施形態では、スイッチ２７ａ及び２７ｂが送受信状態表示モードを選択するリモコン２０側のモードスイッチとされているが、これに限るものではない。専用のスイッチが設けられていてもよい。また、テストスイッチも専用のスイッチが設けられていてもよい。
【００６１】
また、上記の実施形態では、視標呈示部３にディスプレイ３０を用いたが、これに限るものではない。例えば、視標投影式の視標呈示部を用いてもよい。
【００６２】
また、上記の実施形態では、リモコンと装置本体１が双方向通信する方式としたが、これに限るものではない。リモコンから装置本体１に信号が送信されるのみの単方向通信方式の装置であってもよい。そして、装置本体１の受信素子と同様の受信特性を持つ受信素子が少なくともリモコンに設けられている構成であればよい。
【００６３】
また、以上の説明では、リモコン２０及び装置本体１に、送受信状態確認ユニットとして、受信部及び送信部を兼ねる送受信部と、送受信の状態を表示する表示部とを設ける構成としたが、これに限るものではない。視標呈示装置１００において、どちらかの装置に送受信状態確認ユニットが設けられる構成であればよい。また、各装置において、送信状態の確認は必ずしも必要としない。少なくとも受信状態の確認ができる構成であればよい。受信状態の確認ができることによって、装置本体に入射する外乱光（信号）の問題の特定と解消が行える。
【図面の簡単な説明】
【００６４】
【図１】視標呈示装置の構成を示す概略外観図である。
【図２】視標呈示部の構成と装置の制御系とを示す概略ブロック図である。
【図３】リモコンの構成を示す外観図である。
【図４】セットアップ画面を説明するための図である。
【符号の説明】
【００６５】
１  視標呈示装置本体
３  視標呈示部
５  送受信部
７  ファンクションスイッチ
１０  制御ユニット
２０  リモコン
２１  送受信部
２２  ディスプレイ
２８  制御ユニット
３０  ディスプレイ
４０  セットアップ画面
１００  視標呈示装置
【図１】
0005870552.tif 000002
【図２】
0005870552.tif 000003
【図３】
0005870552.tif 000004
【図４】
0005870552.tif 000005